【事件の表示】
　平成１１年特許願第　７０９８０号「簡易階段昇降装置」拒絶査定不服審判事件〔平成１２年　９月２６日出願公開、特開２０００−２６４５５９〕について、次のとおり審決する。
【結　論】
　本件審判の請求は、成り立たない。
【理　由】
１．手続の経緯及び本願発明
　本願は、平成１１年３月１６日の出願であって、平成１８年７月２５日付けで拒絶理由が通知され、同年９月２６日に意見書及び手続補正書が提出されたが、同年１２月２８日に拒絶査定がなされ、平成１９年２月９日に同拒絶査定に対して審判請求がなされ、その後、当審において平成２０年９月１日付けで拒絶理由が通知され、同年１１月４日に意見書が提出されたものであって、その請求項１ないし６に係る発明は、上記平成１８年９月２６日に提出された手続補正書により補正された明細書及び出願当初の図面の記載からみて、特許請求の範囲の請求項１ないし６に記載された事項により特定されるとおりのものであるところ、その請求項１に係る発明（以下、「本願発明」という。）は次のとおりである。
　「階段（１）の斜面両側にガイドレール（３）を並設し、該ガイドレール（３）には、それに係合して傾斜昇降する支持体（４）を係着し、かつ該支持体（４）には把持部（７）を有するフレーム（８）を立設した昇降ステージ（９）を水平状態を保持するように固定し、また、昇降ステージ（９）の前方には斜め上方に向かってつま先保護板（２７）を立設してなり、さらに前記支持体（４）を傾斜昇降させるための移動手段を設けてなる簡易階段昇降装置であって、
前記支持体（４）及び昇降ステージ（９）を傾斜昇降させるための移動手段として、前記階段（１）の一方側のガイドレール（３）の上方に、高強度合成樹脂繊維で織成した織布製の平ベルトからなる昇降用長尺ベルト（１２）の一端を取付け、該昇降用長尺ベルト（１２）の他の一端は、その途中を前記支持体（４）又は前記昇降ステージ（９）の複数個所に設けた転向滑車（１３）、（１４）に巻架して、前記階段（１）の他の一方側のガイドレール（３）の上方に設けたベルト巻取りドラム（１５）に取付けて構成し、該ベルト巻取りドラム（１５）を、駆動モーター（１６）によって回動させて、前記昇降用長尺ベルト（１２）を牽引又は弛緩させることによって、前記転向滑車（１３）、（１４）を設けた昇降ステージ（９）を前記階段（１）に添って傾斜昇降させるようにしたことを特徴とする簡易階段昇降装置。」
　
２．引用文献
２．−１　当審の拒絶の理由に引用された特開平１１−６０１１０号公報（平成１１年３月２日公開。以下、「引用文献１」という。）
（Ａ）引用文献１には、次の事項が記載されている。下線は、当審で付与した。
　（ａ）「【請求項１】
階段の両側斜面にガイドレールを並設し、該ガイドレールには、それに係合して傾斜昇降する支持体を係着し、かつ該支持体には、手摺を有するフレームを立設した昇降ステージを水平状態を保持するように固定し、さらに前記支持体を傾斜昇降させるための移動手段を設け、前記昇降ステージを前記階段に添って傾斜昇降させるように構成した
【請求項２】階段の両側斜面にガイドレールを並設し、該ガイドレールには、それに嵌合して回転する車輪を取付けた支持体を傾斜昇降可能に挿設し、かつ該支持体には手摺を有するフレームを立設した昇降ステージを水平状態を保持するように固定し、さらに前記支持体を傾斜昇降させるための移動手段を設け、前記昇降ステージを前記階段に添って傾斜昇降させるように構成したことを特徴とする簡易階段昇降装置。
【請求項３】
前記昇降ステージを傾斜昇降させるための移動手段として、階段の一方の側の上方に昇降ワイヤーの一端を取付け、該昇降ワイヤーの他の一端は、前記昇降ステージの両端に設けた転向滑車を巻架して、階段の他の一方の側の上方に設けた巻取りドラムに取付け、該巻取りドラムを、駆動モーターによって回動させて、前記昇降ワイヤーを牽引又は弛緩させることによって、前記転向滑車を設けた昇降ステージを傾斜昇降させるように構成した
【請求項４】（略）
【請求項５】（略）
【請求項６】昇降ステージに取付けた手摺の一部に、前記昇降ステージを傾斜昇降させるための移動手段の駆動用スイッチ及び停止用スイッチを取着したことを特徴とする請求項１〜５のいずれか１項に記載の簡易階段昇降装置。
【請求項７】手摺を有するフレームが、昇降ステージの片側にのみ立設されていることを特徴とする請求項１〜６のいずれか１項に記載の簡易階段昇降装置。
【請求項８】手摺を有するフレームが、昇降ステージの両側に立設されていることを特徴とする請求項１〜６のいずれか１項に記載の簡易階段昇降装置。」（特許請求の範囲の請求項１ないし８）
　（ｂ）「【００１４】次に、昇降ステージを傾斜昇降させるための移動手段として、昇降ワイヤーによって昇降させる発明について説明する。図５は昇降ステージ９を傾斜昇降させるための移動手段として、昇降ワイヤーによって昇降させる本発明を実施せる簡易階段昇降装置の、ガイドレール３の上面を取り除いて、ガイドレール３の内部にある車輪５や車軸６が見えるように図示した一部切欠断面上面図であるが、同図に示すように、階段１、１…の一方の側、図示の場合、左側の上方に、
昇降ワイヤーの取付け金具１１によって、昇降ワイヤー１２の一端を取付けてあり、該昇降ワイヤー１２の他の一端は昇降ステージ９の両側に設けた転向滑車１３、１４を巻架して、階段の他の側、すなわち図示の場合は右側の上方に設けられた巻取りドラム１５に取付けてあり、該巻取りドラム１５は、図示を省略した減速装置を介して駆動モーター１６によって回動される構造になっている
【００１５】従って、前記駆動用スイッチを操作して
駆動モーター１６を回動させることによって、前記巻取りドラム１５が回動され、該巻取りドラム１５に取付けられた昇降ワイヤー１２の一端は、牽引又は弛緩されることになる。このようにして、昇降ワイヤー１２が牽引されれば、昇降ステージ９の両側に設けられた転向滑車１３、１４を介して、該転向滑車１３、１４を取付けた昇降ステージ９が牽引されて上昇することになり、また昇降ワイヤー１２を弛緩させれば、昇降ステージ９が重力により下降することになるのである
　（ｃ）「【００２７】また、図２、図５、図６、図７にそれぞれ表示している、
つま先保護板２７は、昇降ステージ９の前方に、斜め上方に向かって立設してあり
（Ｂ）上記記載事項（Ａ）及び図面から分かること。
　（ａ）上記記載事項（Ａ）（ａ）、（ｂ）及び図面から、支持体４及び昇降ステージ９を傾斜昇降させるための移動手段として、階段１の一方の側のガイドレール３の上方に、昇降ワイヤー１２の一端を取付け、該昇降ワイヤー１２の他の一端は、前記支持体４又は前記昇降ステージ９の両端に設けた転向滑車１３、１４に巻架して、階段１の他の一方の側の上方のガイドレール３に設けた巻取りドラム１５に取付け、該巻取りドラム１５を、駆動モーター１６によって回動させて、前記昇降ワイヤー１２を牽引又は弛緩させることによって、前記転向滑車１３、１４を設けた昇降ステージを傾斜昇降させるように構成したことが分かる。
　（ｂ）上記記載事項（Ａ）（ｃ）及び図面から、昇降ステージ９の前方に、斜め上方に向かってつま先保護板２７が立設してあることが分かる。
（Ｃ）上記（Ａ）及び（Ｂ）並びに図面によると、引用文献１には、
　「階段１の斜面両側にガイドレール３を並設し、該ガイドレール３には、それに係合して傾斜昇降する支持体４を係着し、かつ該支持体４には手摺７を有するフレーム８を立設した昇降ステージ９を水平状態を保持するように固定し、また、昇降ステージ９の前方には斜め上方に向かってつま先保護板２７を立設してなり、さらに前記支持体４を傾斜昇降させるための移動手段を設けてなる簡易階段昇降装置であって、
前記支持体４及び昇降ステージ９を傾斜昇降させるための移動手段として、前記階段１の一方側のガイドレール３の上方に、昇降ワイヤー１２の一端を取付け、該昇降ワイヤー１２の他の一端は、その途中を前記支持体４又は前記昇降ステージ９の複数個所に設けた転向滑車１３、１４に巻架して、前記階段１の他の一方側のガイドレール３の上方に設けた巻取りドラム１５に取付けて構成し、該巻取りドラム１５を、駆動モーター１６によって回動させて、前記昇降ワイヤー１２を牽引又は弛緩させることによって、前記転向滑車１３、１４を設けた昇降ステージ９を前記階段１に添って傾斜昇降させるようにした簡易階段昇降装置。」（以下、「引用文献１に記載された発明」という。）が記載されている。
　
２．−２　当審の拒絶の理由に引用された実願平１−４２２６５号（実開平２−１３２０８６号）のマイクロフィルム（以下、「引用文献２」という。）
（Ａ）引用文献２には、図面と共に、次の事項が記載されている。下線は、当審で付与した。
　（ａ）「２．実用新案登録請求の範囲
（１）　昇降路内に４本の支柱を設け、その支柱に沿つて
昇降自在に支持された籠の上側前後部に平織り組織から成る一対の吊りシートの一辺部を連結し
　（ｂ）「上記の構成から成るエレベータにおいては、一対の
シート巻取機を同期回転し、そのシート巻取機によって一対のシートを巻取り、あるいは巻戻しして籠を昇降動させる
　（ｃ）「前記各シート連結部材４には、第１図に示すように、一対の吊りシート１３の一片部が連結されている。
この吊りシート１３は、天然系、合成系あるいは金属糸等の延びの少ない糸を平織りしたものから構成され
　（ｄ）「上記吊りシート１３は第１図に示すように昇降路１に沿って上方に延び、上記昇降路１の上部に設けたガイドローラ１５で案内され、
シート巻取機１６によって巻取り、巻戻しされる
　以上記載事項（ａ）ないし（ｄ）から、引用文献２には、吊りワイヤを使用したときのエレベータの様々な問題点を解決するために、「エレベータの籠を昇降させるための部材として、合成系の糸を平織りした平織り組織から成る吊りシート及びシート巻取機を用いる技術」（以下、「引用文献２記載の技術」という。）が記載されている。
　
３．対比
　本願発明と引用文献１に記載された発明を対比すると、引用文献１に記載された発明における「手摺７」は、機能からみて、本願発明における「把持部」に相当する。
　また、引用文献１に記載された発明における「昇降ワイヤー１２」は、「昇降用長尺体」である限りにおいて本願発明における「高強度合成樹脂繊維で織製した織布製の平ベルトからなる昇降用長尺ベルト」に相当し、引用文献１に記載された発明における「巻取りドラム１５」は、「昇降用長尺体巻取りドラム」である限りにおいて、本願発明における「ベルト巻取りドラム」に相当する。
　したがって、本願発明と引用文献１に記載された発明は、
　「階段の斜面両側にガイドレールを並設し、該ガイドレールには、それに係合して傾斜昇降する支持体を係着し、かつ該支持体には把持部を有するフレームを立設した昇降ステージを水平状態を保持するように固定し、また、昇降ステージの前方には斜め上方に向かってつま先保護板を立設してなり、さらに前記支持体を傾斜昇降させるための移動手段を設けてなる簡易階段昇降装置であって、
前記支持体及び昇降ステージを傾斜昇降させるための移動手段として、前記階段の一方側のガイドレールの上方に、昇降用長尺体の一端を取付け、該昇降用長尺体の他の一端は、その途中を前記支持体又は前記昇降ステージの複数個所に設けた転向滑車に巻架して、前記階段の他の一方側のガイドレールの上方に設けた昇降用長尺体巻取りドラムに取付けて構成し、該昇降用長尺体巻取りドラムを、駆動モーターによって回動させて、前記昇降用長尺体を牽引又は弛緩させることによって、前記転向滑車を設けた昇降ステージを前記階段に添って傾斜昇降させるようにした簡易階段昇降装置。」
　という発明で一致し、次の（１）の点で相違している。
　（１）「昇降用長尺体」及び「昇降用長尺体巻取りドラム」を、本願発明が「昇降用長尺ベルト」及び「ベルト巻取りドラム」としたのに対して、引用文献１に記載された発明が「昇降用ワイヤー」及び「巻取りドラム」とした点（以下、「相違点」という。）。
　
４．当審の判断
　上記相違点について検討する。
　引用文献２記載の技術は、前記の通り、「エレベータの籠を昇降させるための部材として、合成系の糸を平織りした平織り組織から成る吊りシート及びシート巻取機を用いる技術」である。
　ここで、「エレベータ」は、「昇降装置」の一種である。また、「合成系の糸」は、一般的に「合成樹脂繊維」を意味し、また、エレベータの籠を吊り下げるためには、「合成系の糸」は、高強度のものでなくてはならないことは自明である。（なお、強度を有する長尺ベルトの素材として、高強度合成樹脂繊維を用いることは、従来周知（必要であれば、特開昭５７−１５７８４８号公報、特開昭６０−２６０７３４号公報、特開昭６３−２８５３４７号公報、特開平８−２４７２２２号公報、実願昭６０−５２８６０号（実開昭６１−１７０７５５号）のマイクロフィルム、実願昭６３−１７２２９号（実開平１−１２１７４５号）のマイクロフィルム等参照）でもある。）
　したがって、引用文献２記載の技術における「合成系の糸」、「平織りした」、「平織り組織から成る」、「吊りシート」及び「シート巻取機」は、機能・作用からみて、本願発明における「高強度合成樹脂繊維」、「織成した」、「織布製の平ベルトからなる」、「昇降用長尺ベルト」及び「ベルト巻取りドラム」にそれぞれ相当する。
　また、引用文献２記載の技術における「エレベータの籠」と、本願発明における「簡易階段昇降装置の昇降ステージ」とは、「昇降装置の昇降機」である限りにおいて対応している。
　そうすると、前記「引用文献２記載の技術」は、本願発明の記載に合わせると、「昇降装置の昇降機を昇降させるための部材として、高強度合成樹脂繊維で織成した織布製の平ベルトからなる昇降用長尺ベルト及びベルト巻取りドラムを用いる技術」と言い換えることができる。
　そうすると、引用文献１に記載された発明において、昇降ワイヤーを使用したときの問題点を解決するために、同じ昇降装置の技術分野に属する引用文献２記載の技術を適用して本願発明の前記相違点に係る構成とすることは、当業者が容易に想到することができたものにすぎない。
　
　そして、本願発明の作用効果も、引用文献１に記載された発明及び引用文献２記載の技術から当業者が予測できる範囲のものである。
　
　なお、請求人は、平成２０年１１月４日付け意見書において、「引用文献２に記載の発明では、合成系の糸を平織りした平織り組織からなる一対の吊りシートを使用し、それぞれの端部で吊りシートを巻き取るものですが、本願発明では「一方側のガイドレール（３）の上方に設けたベルト巻取りドラム（１５）に取付けて構成し、該ベルト巻取りドラム（１５）を、駆動モーター（１６）によって回動させて、前記昇降用長尺ベルト（１２）を牽引又は弛緩させることによって、前記転向滑車（１３）、（１４）を設けた昇降ステージ（９）を前記階段（１）に添って傾斜昇降させるようにした」もので、モータも１つであり、静粛性の向上、設置スペースの低減も達成されます。」と主張しているが、モーターを１つとし、一方側のガイドレールの上方に設けた巻取りドラムに取付けて構成し、該巻取りドラムを、駆動モーターによって回動させて、前記昇降用長尺体を牽引又は弛緩させることによって、前記転向滑車を設けた昇降ステージを前記階段に添って傾斜昇降させるようにした点は、引用文献１（たとえば、請求項３、段落【００１４】ないし【００１５】及び図５参照。）に記載された構成であるから、請求人の主張は当を得ていない。
　
５．むすび
　以上のとおり、本願発明は、引用文献１に記載された発明及び引用文献２記載の技術に基いて当業者が容易に発明をすることができたものであるから、特許法第２９条第２項の規定により特許を受けることができない。
　よって、結論のとおり審決する。